(57)【要約】【課題】  画像を投写していない状態でプロジェクターによって発生する影を目立たなくさせることが可能なプロジェクター等を提供すること。【解決手段】  蛍光灯等からの照明光を受ける状態で、金具によって壁面に取り付けられたプロジェクター１００が、ホワイトボード等の投写対象領域に画像を投写する投写部１９０と、投写部１９０による画像の投写が行われていない状態で、投写対象領域の少なくとも一部に光を投射する発光部１１０を含んで構成される。【選択図】  図５
2013109193.tif 000002
【特許請求の範囲】
【請求項１】
投写対象領域に画像を投写する投写部と、
前記投写部による画像の投写が行われていない状態で、前記投写対象領域の少なくとも一部に光を投射する発光部と、
を含むプロジェクター。
【請求項２】
請求項１に記載のプロジェクターであって、
前記プロジェクターへの電力供給開始指示、前記プロジェクターへの電力供給停止指示、前記プロジェクターへの画像の投写開始指示、前記プロジェクターへの画像の投写停止指示、照明器具への電力供給開始指示、前記照明器具への電力供給停止指示、前記照明器具への点灯指示、前記照明器具への消灯指示のうちの少なくとも１つの指示に応じて、前記発光部による光の投射を制御する制御部を含むプロジェクター。
【請求項３】
請求項２に記載のプロジェクターであって、
前記制御部は、前記プロジェクターへの投写開始指示に応じて、前記発光部による光の投射を停止させる、
プロジェクター。
【請求項４】
請求項２または請求項３に記載のプロジェクターであって、
前記制御部は、前記照明器具への消灯指示に応じて、前記発光部による光の投射を停止させる、
プロジェクター。
【請求項５】
請求項２〜４のいずれかに記載のプロジェクターであって、
前記プロジェクターに照射される光の照度を測定する照度測定部を含み、
前記制御部は、前記照度測定部によって測定された前記照度に基づき、前記発光部による光の投射を制御する、
プロジェクター。
【請求項６】
請求項１〜５のいずれかに記載のプロジェクターであって、
前記発光部の光源は、前記投写部の光源よりも使用可能時間が長い光源である、
プロジェクター。
【請求項７】
請求項１〜６のいずれかに記載のプロジェクターであって、
前記発光部は、電池駆動である、
プロジェクター。
【請求項８】
投写対象領域に画像を投写する投写部と、発光部とを含むプロジェクターによる照明方法であって、
前記プロジェクターは、
前記投写部による画像の投写を停止し、
当該画像の投写を停止した状態で、前記発光部を用いて前記投写対象領域の少なくとも一部に光を投射する、
照明方法。
【発明の詳細な説明】
【技術分野】
【０００１】
本発明は、プロジェクターに関する影を目立たなくさせるためのプロジェクターおよび照明方法に関する。
【背景技術】
【０００２】
例えば、プロジェクターを天吊り状態で使用する形態や、短焦点型のプロジェクターを壁面に金具で取り付けて使用する形態においては、天井における照明器具からの照明光により、画像が投写されていない時に壁面に影が発生することがある。プロジェクターを床置き状態で使用する形態においても、同様に、床に置かれた間接照明器具の照明光により、壁面に影が発生することがある。このような影を目立たなくさせる手法として、特開２００６−２４５９１４号公報では、撮像画像に基づいて影部領域を判定し、画像の輝度値を調整し、通常の画像投写部によって当該画像を投写することにより、影をなくす手法が記載されている。
【先行技術文献】
【特許文献】
【０００３】
【特許文献１】特開２００６−２４５９１４号公報
【発明の概要】
【発明が解決しようとする課題】
【０００４】
しかし、通常の画像投写部は、消費電力量が多い上、点灯や消灯に時間がかかるため、長期間使用したり、画像を投写していない状態で使用したりする目的には適していない。
【０００５】
本発明にかかるいくつかの態様は、上記課題を解決することにより、画像を投写していない状態でプロジェクターによって発生する影を目立たなくさせることが可能なプロジェクターおよび照明方法を提供するものである。
【課題を解決するための手段】
【０００６】
本発明の態様の１つであるプロジェクターは、投写対象領域に画像を投写する投写部と、前記投写部による画像の投写が行われていない状態で、前記投写対象領域の少なくとも一部に光を投射する発光部と、を含むことを特徴とする。
【０００７】
また、本発明の態様の１つである照明方法は、投写対象領域に画像を投写する投写部と、発光部とを含むプロジェクターによる照明方法であって、前記プロジェクターは、前記投写部による画像の投写を停止し、当該画像の投写を停止した状態で、前記発光部を用いて前記投写対象領域の少なくとも一部に光を投射することを特徴とする。
【０００８】
本発明によれば、プロジェクターは、画像の投写を停止した状態で、発光部を用いて投写対象領域の少なくとも一部に光を投射することにより、画像を投写していない状態でプロジェクターによって発生する影を目立たなくさせることができる。
【０００９】
また、前記プロジェクターへの電力供給開始指示、前記プロジェクターへの電力供給停止指示、前記プロジェクターへの画像の投写開始指示、前記プロジェクターへの画像の投写停止指示、照明器具への電力供給開始指示、前記照明器具への電力供給停止指示、前記照明器具への点灯指示、前記照明器具への消灯指示のうちの少なくとも１つの指示に応じて、前記発光部による光の投射を制御する制御部を含んでもよい。これによれば、プロジェクターは、指示に応じて発光部による光の投射を制御することができるため、実際の状況により適合した制御を行うことができる。
【００１０】
また、前記制御部は、前記プロジェクターへの投写開始指示に応じて、前記発光部による光の投射を停止させてもよい。これによれば、プロジェクターは、画像の投写開始に連動して発光部による光の投射を停止することができるため、より省電力化を図ることができる。
【００１１】
また、前記制御部は、前記照明器具への消灯指示に応じて、前記発光部による光の投射を停止させてもよい。これによれば、プロジェクターは、照明器具への消灯指示に連動して発光部による光の投射を停止することができるため、より省電力化を図ることができる。
【００１２】
また、前記プロジェクターは、前記プロジェクターに照射される光の照度を測定する照度測定部を含み、前記制御部は、前記照度測定部によって測定された前記照度に基づき、前記発光部による光の投射を制御してもよい。これによれば、プロジェクターは、影の要因となる光の照度に応じて発光部による光の投射を制御することにより、影の発生を適切に防止できる上、より省電力化も図ることができる。
【００１３】
また、前記発光部の光源は、前記投写部の光源よりも使用可能時間が長い光源であってもよい。これによれば、プロジェクターは、発光部として、例えば、ＬＥＤ（Light Emitting Diode）等のいわゆる長寿命光源を用いることにより、発光部の交換の手間を軽減することができる。
【００１４】
また、前記発光部は、電池駆動であってもよい。これによれば、プロジェクターは、プロジェクター本体に電力が供給されていない状態であっても、発光部を点灯させることができる。
【図面の簡単な説明】
【００１５】
【図１】第１の実施例における投写時の壁面を示す図である。
【図２】第１の実施例における非投写時で発光部を発光させない状態の壁面を示す図である。
【図３】第１の実施例におけるプロジェクターの外観図である。
【図４】第１の実施例における非投写時で発光部を発光させた状態の壁面を示す図である。
【図５】第１の実施例におけるプロジェクターの機能ブロック図である。
【図６】第１の実施例におけるプロジェクターのハードウェアブロック図である。
【図７】第１の実施例における照明手順を示すフローチャートである。
【図８】第２の実施例におけるプロジェクターの機能ブロック図である。
【図９】第２の実施例におけるプロジェクターのハードウェアブロック図である。
【図１０】第２の実施例における照明手順を示すフローチャートである。
【発明を実施するための形態】
【００１６】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例における投写時の壁面を示す図である。本実施例のプロジェクター１００は、金具３０で壁面に取り付けられる短焦点型のプロジェクター１００である。プロジェクター１００は、ホワイトボード１０等の投写対象領域に画像２０を投写する。
【００１８】
図２は、第１の実施例における非投写時で発光部を発光させない状態の壁面を示す図である。例えば、プロジェクター１００が投写を停止すると、天井に設けられた照明器具の一種である蛍光灯４０からの光がプロジェクター１００に当たり、ホワイトボード１０に影５０が発生してしまう。これにより、ホワイトボード１０に文字等が書き込まれても影５０によって視認しづらくなってしまう。
【００１９】
図３は、第１の実施例におけるプロジェクター１００の外観図である。本実施例のプロジェクター１００は、画像を投写する投写部１９０に加え、投写部１９０の光源とは異なる光源を有する発光部１１０を含んで構成されている。
【００２０】
図４は、第１の実施例における非投写時で発光部１１０を発光させた状態の壁面を示す図である。例えば、発光部１１０は、ホワイトボード１０の全体を含む領域に光を投射するように形成されている。これにより、画像２０が投写されていない状態であっても、ホワイトボード１０に影５０が発生することがなく、プレゼンター等が快適にプレゼンテーションを行うことができる。次に、このような機能を有するプロジェクター１００の機能ブロックについて説明する。
【００２１】
図５は、第１の実施例におけるプロジェクター１００の機能ブロック図である。プロジェクター１００は、発光部１１０と、画像データ１２２、制御データ１２４等を記憶する記憶部１２０と、操作部１３０と、リモコン（リモートコントローラー）等からの赤外光を受光する受光部１３２と、画像生成部１４０と、投写部１９０と、発光部１１０等を制御する制御部１５０を含んで構成されている。なお、制御データ１２４は、例えば、ユーザーの指示に対応する制御内容等を示すデータである。
【００２２】
図６は、第１の実施例におけるプロジェクター１００のハードウェアブロック図である。プロジェクター１００の各部の機能を実装するためのハードウェアとしては以下のものを適用可能である。例えば、発光部１１０はＬＥＤ（光源）９１０等、記憶部１２０はＲＡＭ９２０、フラッシュＲＯＭ９２２等、操作部１３０は操作パネル９３０等、受光部１３２は赤外受光ユニット９３２等、画像生成部１４０は画像処理回路９４０等、制御部１５０はＣＰＵ９５０等、投写部１９０はランプ駆動回路９９０、ランプ（光源）９９１、照明光学系９９２、液晶駆動回路９９３、液晶ライトバルブ９９４、レンズ９９５等を適用可能である。
【００２３】
次に、発光部１１０等を用いたプロジェクター１００における照明手順について説明する。図７は、第１の実施例における照明手順を示すフローチャートである。制御部１５０は、受光部１３２や操作部１３０からの信号に基づき、ユーザーがリモコンや操作パネル９３０を操作して画像２０の投写停止指示を行ったかどうかを判定する（ステップＳ１）。
【００２４】
画像２０の投写停止指示が行われた場合、制御部１５０は、制御データ１２４に基づき、投写部１９０を制御して画像２０の投写を停止させる（ステップＳ２）。また、この場合、制御部１５０は、制御データ１２４に基づき、発光部１１０を制御して発光を開始させる（ステップＳ３）。
【００２５】
発光部１１０による発光が行われている状態で、制御部１５０は、受光部１３２や操作部１３０からの信号に基づき、ユーザーがリモコンや操作パネル９３０を操作して画像２０の投写開始指示を行ったかどうかを判定する（ステップＳ４）。
【００２６】
画像２０の投写開始指示が行われた場合、制御部１５０は、制御データ１２４に基づき、投写部１９０を制御して画像データ１２２に基づく画像２０の投写を開始させる（ステップＳ５）。また、この場合、制御部１５０は、制御データ１２４に基づき、発光部１１０を制御して発光を停止させる（ステップＳ６）。
【００２７】
以上のように、本実施例によれば、プロジェクター１００は、画像２０の投写を停止した状態で、発光部１１０を用いてホワイトボード１０に光を投射することにより、画像２０を投写していない状態でプロジェクター１００によって発生する影５０を目立たなくさせることができる。
【００２８】
また、本実施例によれば、プロジェクター１００は、ユーザーの指示に応じて発光部１１０による光の投射を制御することができるため、実際の状況により適合した制御を行うことができる。さらに、本実施例によれば、プロジェクター１００は、画像２０の投写開始に連動して発光部１１０による光の投射を停止することができるため、より省電力化を図ることができる。
【００２９】
また、本実施例によれば、プロジェクター１００は、発光部１１０として、ＬＥＤ９１０等のいわゆる長寿命光源を用いることにより、発光部１１０の交換の手間を軽減することができる上、ＬＥＤ９１０はランプ９９１と比べて消費電力も少ないため、より省電力化を図ることができる。
【００３０】
（第２の実施例）
第１の実施例では、制御部１５０は、プロジェクター１００への画像２０の投写開始指示や投写停止指示に応じて発光部１１０の発光を制御しているが、制御のきっかけとなる指示はこれらの指示に限定されない。例えば、当該指示は、これらの指示に加え、プロジェクター１００への電力供給開始指示、プロジェクター１００への電力供給停止指示、蛍光灯４０等の照明器具への電力供給開始指示、照明器具への電力供給停止指示、照明器具への点灯指示、照明器具への消灯指示のうちの少なくとも１つの指示であってもよい。より具体的には、例えば、制御部は、プロジェクター１００への電力供給開始指示、照明器具への電力供給停止指示、照明器具への消灯指示のうちの少なくとも１つの指示に応じて発光部１１０の発光停止制御を行ったり、プロジェクター１００への電力供給停止指示、照明器具への電力供給開始指示、照明器具への点灯指示のうちの少なくとも１つの指示に応じて発光部１１０の発光開始制御を行ったりしてもよい。本実施例では、制御部が、蛍光灯４０への点灯指示および消灯指示に応じて発光部１１０を制御する実施例について説明する。
【００３１】
図８は、第２の実施例におけるプロジェクター１０１の機能ブロック図である。プロジェクター１０１は、上述したプロジェクター１００と同様の構成であるが、蛍光灯４０への点灯指示または消灯指示を示す照明情報が入力される照明情報入力部１６０を含み、制御部１５１が、制御データ１２５に基づき、当該照明情報に応じて発光部１１０を制御する点でプロジェクター１００と異なっている。なお、制御データ１２５は、例えば、ユーザーの指示に対応する制御内容等を示すデータ、発光部１１０の点灯状態を示すデータ、投写部１９０の投写状態を示すデータ等を含んでもよい。
【００３２】
図９は、第２の実施例におけるプロジェクター１０１のハードウェアブロック図である。プロジェクター１０１のハードウェア構成は上述したプロジェクター１００の構成と同様であるが、発光部１１０が二次電池９８２によっても駆動可能であり、照明情報入力部１６０に対応する赤外受光ユニット９６０を含んで構成されている点でプロジェクター１００と異なっている。
【００３３】
次に、制御部１５１等を用いたプロジェクター１０１における照明手順について説明する。図１０は、第２の実施例における照明手順を示すフローチャートである。制御部１５１は、照明情報入力部１６０からの照明情報に基づき、蛍光灯４０が消灯したかどうかを判定する（ステップＳ１１）。例えば、赤外受光ユニット９６０が、蛍光灯４０に対する点灯指示および消灯指示を行うためのリモコンからの赤外光を受光することにより、照明情報を生成して制御部１５１に出力することにより、制御部１５１は、蛍光灯４０が消灯したかどうかを判定することができる。
【００３４】
制御部１５１は、制御データ１２５に基づき、発光部１１０が発光中かどうかを判定する（ステップＳ１２）。制御部１５１は、発光部１１０が発光中の場合、制御データ１２５に基づき、発光部１１０を制御して発光を停止させる（ステップＳ１３）。なお、制御部１５１は、発光部１１０による発光の開始または停止に応じて発光状態を示すデータを更新し、投写部１９０による投写の開始または停止に応じて投写状態を示すデータを更新してもよい。
【００３５】
発光部１１０が発光している状態で、制御部１５１は、照明情報入力部１６０からの照明情報に基づき、蛍光灯４０が点灯したかどうかを判定する（ステップＳ１４）。制御部１５１は、蛍光灯４０が点灯した場合、制御データ１２５に基づき、画像２０が投写されていない非投写状態であるかどうかを判定する（ステップＳ１５）。蛍光灯４０が点灯し、かつ、非投写状態である場合、制御部１５１は、制御データ１２５に基づき、発光部１１０を制御して発光を開始させる（ステップＳ１６）。
【００３６】
以上のように、本実施例によっても、プロジェクター１０１は、第１の実施例と同様の作用効果を奏する。また、本実施例によれば、プロジェクター１０１は、蛍光灯４０への点灯に連動して発光部１１０による光の投射を停止することができるため、より省電力化を図ることができる。さらに、本実施例によれば、プロジェクター１０１は、二次電池９８２を用いることにより、プロジェクター１０１本体に電力が供給されていない状態であっても、発光部１１０を点灯させることができる。
【００３７】
（その他の実施例）
なお、本発明の適用は上述した実施例に限定されず、変形が可能である。例えば、第１の実施例と第２の実施例は適宜組み合わせることが可能である。具体的には、例えば、第１の実施例におけるプロジェクター１００の発光部１１０は、第２の実施例に記載した二次電池９８２等によって駆動してもよい。また、発光部１１０に電力を供給するための電池は、二次電池９８２に限定されず、一次電池であってもよい。また、発光部１１０の個数や発光部１１０の光源の個数は１つに限定されず、複数であってもよい。
【００３８】
また、制御部１５０、１５１は、照度センサー等の照度測定部を用いて、プロジェクター１００、１０１に照射される蛍光灯４０等からの光の照度に応じて、発光部１１０の発光強度を調整したり、複数の発光部１１０から発光させる発光部１１０を選択したりしてもよい。より具体的には、例えば、制御部１５０、１５１は、照度が基準値よりも高ければ、発光部１１０の発光強度を通常よりも高くし、照度が基準値よりも低ければ、発光部１１０の発光強度を通常よりも低くしてもよい。これによれば、プロジェクター１００、１０１は、影の要因となる光の照度に応じて発光部１１０による光の投射を制御することにより、影５０の発生を適切に防止できる上、より省電力化も図ることができる。
【００３９】
また、制御部１５０、１５１に対する指示入力方法は、上述した操作パネル９３０の操作や、リモコン操作に限定されず、例えば、プロジェクター１００、１０１の電源スイッチ操作、蛍光灯４０の電源スイッチ操作等であってもよい。より具体的には、例えば、蛍光灯４０の電源スイッチ回路からプロジェクター１００、１０１に電源スイッチのオンおよびオフを示す信号の伝達経路を設け、制御部１５０、１５１は、当該伝達経路からの当該信号に応じて、蛍光灯４０の電源スイッチのオンを示す信号であれば、発光部１１０、１１１の発光開始制御を行い、蛍光灯４０の電源スイッチのオフを示す信号であれば、発光部１１０、１１１の発光停止制御を行ってもよい。
【００４０】
また、発光部１１０は、投写対象領域の全体を含む領域に対して発光する必要はなく、例えば、影５０が発生する可能性のある投写対象領域の一部に対して発光してもよい。また、発光部１１０の光源は、ＬＥＤ９１０に限定されず、例えば、白熱電球、蛍光灯等であってもよい。また、照明器具は、蛍光灯４０に限定されず、例えば、ＬＥＤ照明器具、電気スタンド、白熱電球等であってもよい。また、投写対象領域は、ホワイトボード１０に限定されず、例えば、壁、スクリーン、黒板等であってもよい。
【００４１】
また、制御データ１２４、１２５は必須ではなく、制御部１５０、１５１は内部のプログラム等に応じて制御を行ってもよい。また、制御手順は上述した第１および第２の実施例の順序に限定されない。さらに、第２の実施例の赤外受光ユニット９３２、９６０は共通化されてもよい。
【００４２】
また、プロジェクター１００、１０１は、天吊り形態のプロジェクター（明るい照明光であれば投写対象領域から離れていても投写対象領域に影５０が発生する）や、床置き形態のプロジェクター（明るい間接照明によって投写対象領域に影５０が発生する）等であってもよい。また、プロジェクター１００、１０１は、液晶プロジェクター（透過型、ＬＣＯＳ等の反射型）に限定されず、例えば、デジタルマイクロミラーデバイスを用いたプロジェクター等であってもよい。また、投写部１９０は、ランプ９９１の代わりに有機ＥＬ素子、シリコン発光素子、レーザーダイオード、ＬＥＤ等の固体光源を含む自己発光素子を採用してもよい。また、プロジェクター１００、１０１の機能を複数の装置（例えば、ＰＣとプロジェクター等）に分散してもよい。
【符号の説明】
【００４３】
１０  ホワイトボード（投写対象領域）、２０  画像、３０  金具、４０  蛍光灯（照明器具）、５０  影、６０  投射光、１００、１０１  プロジェクター、１１０  受信部、１２０  記憶部、１２２  画像データ、１２４、１２５  制御データ、１３０  操作部、１３２  受光部、１４０  画像生成部、１５０、１５１  制御部、１６０  照明情報入力部、１９０  投写部、９１０  ＬＥＤ（光源）、９２０  ＲＡＭ、９２２  フラッシュＲＯＭ、９３０  操作パネル、９３２、９６０  赤外受光ユニット、９４０  画像処理回路、９５０  ＣＰＵ、９８０  電源、９８２  二次電池（電池）、９９０  ランプ駆動回路、９９１  ランプ（光源）、９９２  照明光学系、９９３  液晶駆動回路、９９４  液晶ライトバルブ、９９５  レンズ
【図１】
2013109193.tif 000003
【図３】
2013109193.tif 000004
【図４】
2013109193.tif 000005
【図５】
2013109193.tif 000006
【図６】
2013109193.tif 000007
【図７】
2013109193.tif 000008
【図８】
2013109193.tif 000009
【図９】
2013109193.tif 000010
【図１０】
2013109193.tif 000011
【図２】
2013109193.tif 000012